(57)【要約】【課題】生体への装着性を大幅に向上させることができる生体圧迫装置及び血圧測定装置の提供を目的とする。【解決手段】生体圧迫装置１は、流体袋２、帯状体３、及び、留め金具４を備え、留め金具４の被保持部４２が皮膚はさみ防止タグ部５の外面より上方に位置するように取り付けられ、かつ、皮膚はさみ防止タグ部５が、中央側部分５１及び中間部分５２の曲げ剛性を先端側部分５３の曲げ剛性より高めるための補強部材６を有する。【選択図】  図１
2010252836.tif 000002
【特許請求の範囲】
【請求項１】
流体が出入することにより膨縮する流体袋と、流体袋を収納する帯状体と、帯状体の一端部に設けられ、該帯状体の他端部を挿通する留め金具とを有し、生体に巻き付けられる生体圧迫装置において、
前記留め金具は、前記帯状体の一端部から所定距離中央部側の留め金具取り付け位置おいて前記帯状体の外面に接しないように前記帯状体に取り付けられ、前記帯状体は、前記留め金具取り付け位置の剛性が一端部の剛性より高いことを特徴とする生体圧迫装置。
【請求項２】
前記帯状体は、前記留め金具の取り付け位置に補強部材を有することを特徴とする請求項１に記載の生体圧迫装置。
【請求項３】
前記留め金具を取り付けるための保持部材を有し、前記補強部材と前記保持部材とが一体に形成されていることを特徴とする請求項２に記載の生体圧迫装置。
【請求項４】
前記補強部材の一方の端部側の先端が、前記留め金具取り付け位置と前記帯状体の一端部の先端との間に位置することを特徴とする請求項２又は３に記載の生体圧迫装置。
【請求項５】
前記留め金具取り付け位置は、前記帯状体の一端部の先端から前記留め金具取り付け位置までの距離が、前記留め金具の掛け部から前記留め金具取り付け位置までの距離より長くなる位置であることを特徴とする請求項１〜４のいずれか一項に記載の生体圧迫装置。
【請求項６】
流体が出入することにより膨縮する流体袋と、流体袋を収納する帯状体と、帯状体の一端部に設けられ、該帯状体の他端部を挿通する留め金具とを有し、生体に巻き付けられる生体圧迫装置において、
前記留め金具は、生体圧迫装置を生体に装着するために帯状体の他端部を引っ張ったときに、前記帯状体の外面から離れるように前記帯状体に取り付けられ、
前記帯状体は、前記留め金具を保持する保持部が前記帯状体に取り付けられる部分の剛性が、他端部の剛性より高いことを特徴とする生体圧迫装置。
【請求項７】
上記請求項１〜６のいずれか一項に記載の前記生体圧迫装置を用いたことを特徴とする血圧測定装置。
【発明の詳細な説明】
【技術分野】
【０００１】
本発明は、生体への装着性を大幅に向上させることができる生体圧迫装置及び血圧測定装置に関する。
【背景技術】
【０００２】
近年、血圧計は、病院等に限らず、健康管理を目的として、一般家庭にも広く普及してきた。これら一般家庭用の血圧計は、通常、操作が簡単な自動血圧計である。
自動血圧計は、様々な測定方式や構成のものが開発されているが、その一つに、オシロメトリック式電子血圧計がある。このオシロメトリック式電子血圧計は、流体袋（通常、空気が使用されるので、空気袋と呼称される。）の内圧に重畳した脈波を検出し、この脈波の振幅変化にもとづいて血圧を算出する。このオシロメトリック式電子血圧計は、上腕に巻き付けられ流体袋を有する生体圧迫装置（一般的に、カフとも呼称される。）と、配管を介して流体袋と連通した、圧力センサ、ポンプ及び排気弁と、圧力センサ、ポンプ及び排気弁と接続された情報処理装置と、情報処理装置と接続された操作スイッチ及び表示器などとからなっている。
【０００３】
（従来例）
また、上述した自動血圧計には、様々な構成の生体圧迫装置が用いられてきた。
次に、従来の生体圧迫装置について図面を参照して説明する。
図１１は、従来例にかかる生体圧迫装置の概略縮小図であり、（ａ）は表面側展開図を示しており、（ｂ）は裏面側展開図を示している。
また、図１２は、従来例にかかる生体圧迫装置の概略図であり、（ａ）はＧ−Ｇ矢視図を示しており、（ｂ）はＨ−Ｈ矢視図を示している。
図１１、１２において、生体圧迫装置１０１は、流体袋２、帯状体１３０、留め金具４及び面ファスナー１３３などを備えている。
【０００４】
＜流体袋＞
流体袋２は、ほぼ台形状の袋であり、ほぼ中央にジョイント２１が設けられた上面側シート、下面側シート、及び、これらのシートの周縁部を溶着した溶着部などを有している。この流体袋２は、流体（通常、空気）が入出することにより膨縮する。すなわち、生体圧迫装置１０１が上腕１０に巻き付けられ、ジョイント２１から空気が送入されると、流体袋２は、膨れて上腕１０を圧迫する。
【０００５】
＜帯状体＞
帯状体１３０は、外面カバーとしてのループシート１３１及び内面カバー１３５などを有しており、ループシート１３１及び内面カバー１３５が流体袋２を挟むことにより、流体袋２を収納する。
ループシート１３１及び内面カバー１３５は、ほぼ矩形状としてある。内面カバー１３５は、皮膚に触れた際、触り心地が良いように、薄く、軟らかく、かつ、伸縮性を有する布（通常、樹脂製の布）からなっている。また、外面カバーとしてのループシート１３１は、内面カバー１３５と比べて、厚く、丈夫で、かつ、伸縮性を有していない。
【０００６】
ループシート１３１と内面カバー１３５は、流体袋２などを挟んだ状態で、周縁部が、バイアステープ１３４を介して糸１１３によって縫合されている。また、長手方向のほぼ中央部では、腕軸方向に沿って、糸１２によって縫合されている。さらに、ループシート１３１と内面カバー１３５は、上腕１０の形状に対応しやすいように、糸１２の他方の端部側の幅寸法が、一方の端部側の幅寸法より短くなっている。
また、帯状体１３０は、一方の端部に、後述する皮膚はさみ防止タグ部１５０を有している。
【０００７】
＜留め金具＞
留め金具４は、ほぼ長円形状に形成された丸鋼であり、掛け部４１及び被保持部４２を有している。この留め金具４は、帯状体１３０の長手方向の一方の端部付近に、帯状体１３０の下辺（肩側の辺）から約８０°の角度で斜めに取り付けられている。これにより、筋肉質の上腕１０に対してもほぼ密着した状態で、生体圧迫装置１０１を巻き付けることができる。
【０００８】
また、留め金具４は、図１２（ａ）に示すように、留め金具４の掛け部４１と被保持部４２との間に、折り返された帯状体１３０の一方の端部（バイアステープ１３４を介して糸１１３によって縫合されたループシート１３１及び内面カバー１３５の端部）が通され、被保持部４２を挟むようにして、重ねられた帯状体１３０どうしが、糸１１７によって縫合されている。すなわち、留め金具４は、被保持部４２を挟む一対の帯状体１３０が保持部材として機能し、回動自在に取り付けられる。また、掛け部４１を一方の端部側に回動させると、水平状態となる前に（約２０°傾斜した状態で）、掛け部４１は、先端側部分１５３の先端上部と当接する。
【０００９】
＜皮膚はさみ防止タグ部＞
皮膚はさみ防止タグ部１５０は、帯状体１３０の一方の端部付近に形成されている。すなわち、図１２（ａ）に示すように、帯状体１３０の一方の端部（バイアステープ１３４を介して糸１１３によって縫合されたループシート１３１及び内面カバー１３５の端部）は、折り返され、留め金具４の掛け部４１と被保持部４２との間に通される。この折り返しは、被保持部４２の一方の端部側及び被保持部４２の他方の端部側に、それぞれ所定の長さの帯状体１３０が位置する状態で行われる。折り返しにより重ねられた帯状体１３０どうしは、折り返しの位置付近が糸１１８によって縫合され、被保持部４２を挟む二箇所の位置付近が糸１１７によって縫合され、折り返された先端部の位置付近が糸１１６によって縫合される。
【００１０】
このようにすることによって、中央側部分１５１、中間部分１５２及び先端側部分１５３からなる皮膚はさみ防止タグ部１５０が形成される。中央側部分１５１は、被保持部４２の中央側の糸１１７と糸１１６との間にほぼ位置し、重ね合わされた一対の帯状体１３０からなる。また、中間部分１５２は、対向する一対の糸１１７の間に位置し、被保持部４２を回動自在に保持する一対の帯状体１３０からなる。さらに、先端側部分１５３は、一方の端部側の糸１１７より一方の端部側に位置し、重ね合わされた一対の帯状体１３０からなる。
【００１１】
ここで、縫合された二枚の帯状体１３０からなる皮膚はさみ防止タグ部１５０は、一枚の帯状体１３０と比べると、十分大きな曲げ剛性（曲げに対する強さ）を有している。これにより、生体圧迫装置１０１が上腕１０に巻き付けられる際、先端側部分１５３は、皮膚と内面カバー１３５との間に侵入し、皮膚が挟まれる空間（たとえば、掛け部４１と被保持部４２との間の空間）に入らないようにガードする。また、中間部分１５２は、被保持部４２を保持するとともに、先端側部分１５３がガード可能な状態を維持できるように（たとえば、一方の端部側の糸１１７付近から折れ曲がってしまうことがないように）、先端側部分１５３を支持する。さらに、中央側部分１５１は、中間部分１５２が、たとえば、他方の端部側の糸１１７付近から折れ曲がってしまうことがないように、中間部分１５２を支持する。
【００１２】
＜面ファスナー＞
生体圧迫装置１０１は、留め金具４に挿入され、この留め金具４を介して折り返された帯状体１３０の他方の端部を固定する固定手段として、面ファスナー１３３を備えている。
面ファスナー１３３は、上述したループシート１３１とフックシート３２とからなっている。フックシート３２は、ほぼ正方形状としてあり、外面カバーとしてのループシート１３１の他方の端部側に、糸１５によって縫合されている。
【００１３】
＜説明用フィルム＞
説明用フィルム１３８は、樹脂製のほぼ正方形状としてあり、上腕１０に生体圧迫装置１０１を巻き付ける際の注意点などがプリントされている。この説明用フィルム１３８は、内面カバー１３５の他方の端部側に、周縁部が溶着部１３９によって溶着されている。また、説明用フィルム１３８は、フックシート３２より小さい形状としてあり、溶着部１３９が糸１５の内側に位置している。
【００１４】
＜抜け防止部材＞
抜け防止部材３６は、樹脂製のチューブとしてあり、フックシート３２の他方の端部側に設けられている。すなわち、抜け防止部材３６は、腕軸方向に沿った状態で、ループシート１３１と内面カバー１３５との間に収められ、長手方向の両側に位置する対向する一対の糸１４によって位置決めされている。この抜け防止部材３６は、弾性変形することにより、掛け部４１と被保持部４２との間を通り抜けることができ、通り抜けた抜け防止部材３６は、ストッパーとして機能する。これにより、生体圧迫装置１０１を拡径する際、帯状体１３０の他方の端部が留め金具４から抜けないので、生体圧迫装置１０１の取扱い性を向上させることができる。
【００１５】
上述した生体圧迫装置１０１は、筋肉質の上腕１０に対してもフィットした状態で巻き付けられ、皮膚はさみ防止タグ部１５０によって、皮膚が挟まれることもなく、さらに、抜け防止部材３６によって、巻き付ける際の取扱い性を向上させることができる。
【００１６】
また、本発明に関連して、様々な技術が開示されている。
例えば、特許文献１には、空気袋の収容された袋体を上腕に締めるためのバンドを、袋体の長手方向に平行に複数本設けた血圧計用腕帯の技術が開示されている。この文献のバンド（第４図に示されたバンド５ａ、５ｂ）は、先端が留め金具としての方形状鉄（１２ａ、１２ｂ）に通され、方形状鉄より中央側において、先端の部分とこの先端に対応する部分とが、袋体に取り付けられている。
【００１７】
また、特許文献２には、内部に空気袋を有した腕帯に一端部より所定距離内側に、上記腕帯の他端部を挿入する挿通環（留め金具）を取り付けた血圧測定用腕帯の技術が開示されている。この文献の挿通環（第３図に示された挿通環１２）は、一方の棒部分（掛け部）が腕帯の外表面に位置し、他方の棒部分（被保持部）が腕帯の内部に取り付けられている。
【先行技術文献】
【特許文献】
【００１８】
【特許文献１】実開昭５３−５９３号公報
【特許文献２】実開昭５７−１２３１０７号公報
【発明の概要】
【発明が解決しようとする課題】
【００１９】
しかしながら、特許文献２の血圧測定用腕帯や上述した生体圧迫装置１０１は、上腕１０に巻き付けられる際、図１３に示すように、帯状体１３０の他方の端部が引き方向に引っ張られると、曲げ剛性の高い皮膚はさみ防止タグ部１５０が、ほぼ剛体の平板のように挙動する。
すなわち、生体圧迫装置１０１は、先端側部分１５３に対する留め金具４の回動角度β°が小さくなり、これにより、先端側部分１５３の先端が帯状体１３０に押し当てられる。この際、押し当てられる力に応じて、先端側部分１５３と帯状体１３０との間に、摩擦力が発生するので、使用者は、この摩擦力を超える力で引っ張る必要があった。
【００２０】
また、先端側部分１５３の先端が帯状体１３０に押し当てられると、先端側部分１５３と当接する帯状体１３０の部分は、ほぼ上方に反り返る形状に湾曲し、掛け部４１に掛けられた帯状体１３０の部分は、ほぼ下方に反り返る形状に湾曲する。したがって、帯状体１３０の他方の端部を引っ張る使用者は、先端側部分１５３が突っ張った状態に逆らって、無理やり引っ張る必要があった。特に、説明用フィルム１３８及びフックシート３２が位置する帯状体１３０の部分は、曲げ剛性が高いので、これらがない部分の数倍の力を必要とした。
【００２１】
さらに、説明用フィルム１３８が先端側部分１５３に引っ掛かったり、フックシート３２が掛け部４１に引っ掛かったりすると、使用者が帯状体１３０の他方の端部を引っ張ると、生体圧迫装置１０１が、上腕１０に対して空回りしてしまう場合があった。
なお、生体圧迫装置１０１は、手の平を上に向けた上腕１０に対して、ジョイント２１が真上方向に位置するように巻き付けられる必要があるので、空回りした場合には、位置合わせを再度行う必要があった。
また、空回りは、上述した摩擦力を超える力で引っ張るときや、突っ張った状態に逆らって、無理やり引っ張るときにも発生する場合があった。
【００２２】
ところで、使用者は、様々な手順で巻き付け作業を行っている。たとえば、引っ張り始めは、左方向に引っ張る、フックシート３２の中央部を掛け部４１に掛けた状態から引っ張る、あるいは、フックシート３２が掛け部４１を通過した状態で、ジョイント２１の位置を合わせ、さらに引っ張るといった、自分なりの手順（“こつ”とも呼ばれる。）がある。すなわち、左の上腕１０に右手だけで、生体圧迫装置１０１を巻き付ける作業は、巧く自分なりの手順を見つけることができない使用者にとっては、極めて煩雑な作業であり、装着性（たとえば、引っ張り力の低減、空回りの防止、突っ張り感や引っ掛かり感のないスムースに巻き付ける感覚など）の大幅な向上が望まれていた。      
【００２３】
また、特許文献１に記載されるように、留め金具を帯状体に接しないように保持し、留め金具と帯状体との距離を離すことによって、巻き付け作業の摩擦力を低減させることも考えられる。しかし、このように留め金具を保持すると、皮膚はさみ防止タグの留め金具の取り付け位置付近の剛性が不足して、帯状態を腕に装着する場合に、皮膚はさみ防止タグが反対方向に折れ曲り、皮膚はさみ防止タグとしての役割を果たせなくなる場合があるという問題があった。
【００２４】
本発明は、以上のような従来の技術が有する問題を解決するために提案されたものであり、生体への装着性を大幅に向上させることができる生体圧迫装置及び血圧測定装置の提供を目的とする。
【課題を解決するための手段】
【００２５】
上述した目的を達成するため、本発明の生体圧迫装置は、流体が出入することにより膨縮する流体袋と、流体袋を収納する帯状体と、帯状体の一端部に設けられ、該帯状体の他端部を挿通する留め金具とを有し、生体に巻き付けられる生体圧迫装置において、前記留め金具は、前記帯状体の一端部から所定距離中央部側の留め金具取り付け位置おいて前記帯状体の外面に接しないように前記帯状体に取り付けられ、前記帯状体は、前記留め金具取り付け位置の剛性が一端部の剛性より高い構成としてある。
【００２６】
また、本発明の生体圧迫装置は、流体が出入することにより膨縮する流体袋と、流体袋を収納する帯状体と、帯状体の一端部に設けられ、該帯状体の他端部を挿通する留め金具とを有し、生体に巻き付けられる生体圧迫装置において、前記留め金具は、生体圧迫装置を生体に装着するために帯状体の他端部を引っ張ったときに、前記帯状体の外面から離れるように前記帯状体に取り付けられ、前記帯状体は、前記留め金具を保持する保持部が前記帯状体に取り付けられる部分の剛性が、他端部の剛性より高い構成としてある。
【００２７】
また、本発明の血圧測定装置は、上述した生体圧迫装置を用いた構成としてある。
【発明の効果】
【００２８】
本発明の生体圧迫装置及び血圧測定装置によれば、生体へ生体圧迫装置を巻き付ける際、装着性（たとえば、引っ張る力の低減、空回りの防止、突っ張り感や引っ掛かり感のないスムースに巻き付ける感覚など）を大幅に向上させることができる。
【図面の簡単な説明】
【００２９】
【図１】図１は、本発明の第一実施形態に係る生体圧迫装置の概略縮小図であり、（ａ）は表面側展開図を示しており、（ｂ）は裏面側展開図を示している。
【図２】図２は、本発明の第一実施形態にかかる生体圧迫装置の概略図であり、（ａ）はＡ−Ａ矢視図を示しており、（ｂ）はＢ−Ｂ矢視図を示している。
【図３】図３は、本発明の第一実施形態にかかる生体圧迫装置の、巻き付け開始における動作を説明するための概略図を示している。
【図４】図４は、本発明の第一実施形態にかかる生体圧迫装置の、巻き付け途中における動作を説明するための概略図を示している。
【図５】図５は、本発明の第一実施形態にかかる生体圧迫装置の、巻き付け終了における動作を説明するための概略図を示している。
【図６】図６は、本発明の第二実施形態に係る生体圧迫装置の概略図であり、（ａ）は表面側展開縮小図を示しており、（ｂ）はＣ−Ｃ矢視拡大図を示している。
【図７】図７は、本発明の第三実施形態に係る生体圧迫装置の概略図であり、（ａ）は表面側展開縮小図を示しており、（ｂ）はＤ−Ｄ矢視拡大図を示している。
【図８】図８は、本発明の第四実施形態に係る生体圧迫装置の概略図であり、（ａ）は表面側展開縮小図を示しており、（ｂ）はＥ−Ｅ矢視拡大図を示している。
【図９】図９は、本発明の第五実施形態に係る生体圧迫装置の概略図であり、（ａ）は表面側展開縮小図を示しており、（ｂ）はＦ−Ｆ矢視拡大図を示している。
【図１０】図１０は、本発明の一実施形態にかかるオシロメトリック式電子血圧計の要部の概略ブロック図を示している。
【図１１】図１１は、従来例にかかる生体圧迫装置の概略縮小図であり、（ａ）は表面側展開図を示しており、（ｂ）は裏面側展開図を示している。
【図１２】図１２は、従来例にかかる生体圧迫装置の概略図であり、（ａ）はＧ−Ｇ矢視図を示しており、（ｂ）はＨ−Ｈ矢視図を示している。
【図１３】図１３は、従来例にかかる生体圧迫装置の、巻き付け開始における動作を説明するための概略図を示している。
【発明を実施するための形態】
【００３０】
［生体圧迫装置の第一実施形態］
以下、本発明の生体圧迫装置の第一実施形態について、図面を参照して説明する。
図１は、本発明の第一実施形態に係る生体圧迫装置の概略縮小図であり、（ａ）は表面側展開図を示しており、（ｂ）は裏面側展開図を示している。
また、図２は、本発明の第一実施形態にかかる生体圧迫装置の概略図であり、（ａ）はＡ−Ａ矢視図を示しており、（ｂ）はＢ−Ｂ矢視図を示している。
図１、２において、生体圧迫装置１は、自動血圧計用腕帯（カフ）として用いられており、使用者の左の上腕１０に巻き付けられる。この生体圧迫装置１は、流体袋２、帯状体３、留め金具４及び面ファスナー３３などを備えている。
【００３１】
＜流体袋＞
流体袋２は、ほぼ台形状の袋であり、ほぼ中央にジョイント２１が設けられた上面側シート、下面側シート、及び、これらのシートの周縁部を溶着した溶着部などを有している。この流体袋２は、流体（通常、空気）が入出することにより膨縮する。すなわち、生体圧迫装置１が上腕１０に巻き付けられ、ジョイント２１から空気が送入されると、流体袋２は、膨れて上腕１０を圧迫する。
【００３２】
＜帯状体＞
帯状体３は、外面カバーとしてのループシート３１及び内面カバー３５などを有しており、ループシート３１及び内面カバー３５が流体袋２を挟むことにより、流体袋２を収納する。
ループシート３１及び内面カバー３５は、ほぼ矩形状としてある。内面カバー３５は、皮膚に触れた際、触り心地が良いように、薄く、軟らかく、かつ、伸縮性を有する布（通常、樹脂製の布）からなっている。また、外面カバーとしてのループシート３１は、内面カバー３５と比べて、厚く、丈夫で、かつ、伸縮性を有していない。また、ループシート３１の外面が、帯状体３の外面となる。
【００３３】
ループシート３１と内面カバー３５は、流体袋２などを挟んだ状態で、周縁部が、バイアステープ３４を介して糸１３によって縫合されている。さらに、他方の端部に、縫合されたバイアステープ３４の両端部を覆うように、カバー金具３７が取り付けられている。
また、ループシート３１と内面カバー３５は、長手方向のほぼ中央部では、腕軸方向に沿って、糸１２によって縫合されている。さらに、ループシート３１及び内面カバー３５は、上腕１０の形状に対応しやすいように、糸１２の他方の端部側の幅寸法が、一方の端部側より短くなっている。
【００３４】
＜留め金具＞
留め金具４は、ほぼ長円形状に形成された丸鋼であり、掛け部４１及び被保持部４２を有している。この留め金具４は、帯状体３の長手方向の一方の端部付近に、帯状体３の下辺（肩側の辺）から約８０°の角度で斜めに取り付けられている。これにより、筋肉質の上腕１０に対してもほぼ密着した状態で、生体圧迫装置１を巻き付けることができる。
また、留め金具４は、図２（ａ）に示すように、ループシート３１と同じ部材からなる保持部材４３によって、被保持部４２が皮膚はさみ防止タグ部５の外面（本実施形態では、補強部材６の上面）より上方に位置するように、帯状体３に取り付けられている。
【００３５】
すなわち、帯状体３とほぼ同じ幅寸法を有する保持部材４３が、被保持部４２に掛けられ、保持部材４３の両端部が、被保持部４２より中央側の位置において、補強部材６の一部を介して糸５０１及び糸５０２によって、帯状体３のループシート３１に縫合されている。このようにすると、掛け部４１を一方の端部側に回動させると、留め金具４が帯状体３とほぼ平行になるまで回動することができ、回動した掛け部４１と補強部材６との間に、微小距離の隙間（保持部材４３の厚さに相当する隙間）が形成される。したがって、生体圧迫装置１が上腕１０に巻き付けられる際、掛け部４１に掛けられる他方の端部側の帯状体３と、一方の端部側の補強部材６や帯状体３（中間部分５２や先端側部分５３）との摩擦力を低減することができ、引っ張る力を低減することができる。
【００３６】
＜補強部材＞
補強部材６は、ループシート３１と同じ部材からなり、帯状体３とほぼ同じ幅寸法を有する矩形状としてある。この補強部材６は、皮膚はさみ防止タグ部５の中央側（中央側部分５１及び中間部分５２）の曲げ剛性（あるいは、単に、剛性と呼称する。）を先端側（先端側部分５３）の曲げ剛性より高めるために、補強する部材である。なお、曲げ剛性は、曲げに対する強さといった意味である。
また、補強部材６は、一方の端部側の先端部が、保持部材４３の取付け位置（糸５０２の位置）と帯状体３の一方の端部側の先端部との間に位置する。すなわち、補強部材６は、帯状体３の一方の端部から所定の距離だけ離れた状態で、かつ、留め金具４と平行にループシート３１と縫合されている。
また、帯状体３における留め金具４の取り付け位置は、通常、被保持部４２と対応する位置、及び、この位置の近傍をいう。
【００３７】
ここで、本実施形態では、補強部材６の中央側の端部と、保持部材４３の一つの端部とがつながっている。すなわち、保持部材４３及び補強部材６は、一枚のシートからなり、ほぼ中央から二つに折り曲げられ、一方が補強部材６となり、他方が保持部材４３となる。このようにすると、部品点数を削減でき、また、縫合する際の作業性を向上させることができるので、製造原価のコストダウンを図ることができる。
【００３８】
上述した縫合としては、補強部材６の一方の端部とループシート３１とが、糸５０４によって縫合されている。また、補強部材６とループシート３１とが、被保持部４２の一方の端部側において、糸５０３によって縫合されている。さらに、重ねられた一対の保持部材４３、補強部材６及びループシート３１が、被保持部４２の中央側において、糸５０２によって縫合されている。また、保持部材４３の両端部、補強部材６の他方の端部及びループシート３１が、糸５０１によって縫合されている。
なお、補強部材６や保持部材４３は、シート状部材（本実施形態では、ループシート）としてあるが、これに限定されるものではなく、たとえば、布状部材としてもよい。
【００３９】
＜皮膚はさみ防止タグ部＞
皮膚はさみ防止タグ部５は、中央側から一方の端部側に向かって、中央側部分５１、中間部分５２及び先端側部分５３を有している。中央側部分５１は、糸５０１と糸５０２との間の部分であり、糸５０１、糸５０２、一対の保持部材４３、補強部材６及び帯状体３とからなっている。また、中間部分５２は、糸５０２と糸５０４との間の部分であり、糸５０２、糸５０３、糸５０４、補強部材６及び帯状体３とからなっている。さらに、先端側部分５３は、糸５０４より一方の端部側に位置する部分であり、帯状体３からなっている。
【００４０】
したがって、皮膚はさみ防止タグ部５は、中央側部分５１の曲げ剛性>中間部分５２の曲げ剛性>先端側部分５３の曲げ剛性となる。すなわち、皮膚はさみ防止タグ部５は、中央側部分５１が保持部材４３及び補強部材６などによって補強され、また、中間部分５２が補強部材６などによって補強され、先端側部分５３が帯状体３からなるので、三段階の曲げ剛性を有している。
【００４１】
＜面ファスナー＞
生体圧迫装置１は、留め金具４の掛け部４１と被保持部４２との間に挿入され、この掛け部４１を介して折り返された帯状体３の他方の端部を固定する固定手段として、面ファスナー３３を備えている。
面ファスナー３３は、上述したループシート３１とフックシート３２とからなっている。フックシート３２は、ほぼ正方形状としてあり、外面カバーとしてのループシート３１の他方の端部側に、糸１５によって縫合されている。
【００４２】
ここで、好ましくは、帯状体３の他方の端部側の外面に、面ファスナー３３のフックシート３２が設けられ、フックシート３２の他方の端部側が、帯状体３の外面カバー（ループシート３１）の内側に収められているとよい。すなわち、本実施形態では、ループシート３１に切れ目３１１を入れ、この切れ目３１１にフックシート３２の他方の端部を挿入し、糸１５によって、ループシート３１、フックシート３２及び内面カバー３５を縫合している。
このようにすると、フックシート３２の他方の端部が、ループシート３１の内側に収められるので、生体圧迫装置１０１と比べると、フックシート３２の他方の端部が留め金具４の掛け部４１に引っ掛かるといった不具合を防止でき、生体圧迫装置１をよりスムースに上腕１０に巻き付けることができる。
【００４３】
さらに、好ましくは、図示してないが、フックシート３２の他方の端部側の形状を、湾曲形状又は三角形の斜辺形状とするとよい。このようにすると、フックシート３２による段差が、留め金具４の掛け部４１に引っ掛かるといった不具合をさらに抑制でき、生体圧迫装置１をさらにスムースに上腕１０に巻き付けることができる。
【００４４】
＜説明用フィルム＞
説明用フィルム３８は、樹脂製のフィルムであり、上腕１０に生体圧迫装置１を巻き付ける際の注意点などがプリントされている。また、説明用フィルム３８の形状は、湾曲形状を他方の端部側に有するほぼ正方形状としてある。このようにすると、生体圧迫装置１を上腕１０に巻き付ける際、帯状体３の他方の端部側の曲げ剛性が徐々に高くなるので、生体圧迫装置１をよりスムースに上腕１０に巻き付けることができる。なお、他方の端部側の形状は、湾曲形状に限定されるものではなく、たとえば、図示してないが、三角形の斜辺形状としてもよい。
この説明用フィルム３８は、内面カバー３５の他方の端部側に、周縁部が溶着部３８１によって溶着されている。また、説明用フィルム３８は、フックシート３２より小さい形状としてあり、溶着部３８１が糸１５の内側に位置している。
【００４５】
＜抜け防止部材＞
抜け防止部材３６は、樹脂製のチューブとしてあり、フックシート３２の他方の端部側に設けられている。すなわち、抜け防止部材３６は、腕軸方向に沿った状態で、ループシート３１と内面カバー３５との間に収められ、長手方向の両側に位置する対向する一対の糸１４によって位置決めされている。この抜け防止部材３６は、弾性変形することにより、掛け部４１と被保持部４２との間を通り抜けることができ、通り抜けた抜け防止部材３６は、ストッパーとして機能する。これにより、生体圧迫装置１を拡径する際、帯状体３の他方の端部が留め金具４から抜けないので、生体圧迫装置１の取扱い性を向上させることができる。
なお、図示してないが、抜け防止部材３６を取り付ける位置などは、上述した内容に限定されるものではなく、たとえば、フックシート３２より中央側に設けたり、あるいは、フックシート３２の中央側及び他方の端部側に設けてもよい。
【００４６】
次に、上述した構成の生体圧迫装置１の動作について、図面を参照して説明する。
図３は、本発明の第一実施形態にかかる生体圧迫装置の、巻き付け開始における動作を説明するための概略図を示している。
図３において、まず、血圧を測定しようとする使用者は、通常、帯状体３の他方の端部を留め金具４に通し、拡径された状態の生体圧迫装置１に左腕を挿入する。この際、手の平を上に向けた上腕１０に対して、ジョイント２１が真上方向に位置するように、生体圧迫装置１を、上腕１０に掛ける。続いて、使用者は、右手で、帯状体３の他方の端部を引き方向に引っ張る。
【００４７】
この際、先端側部分５３及び中間部分５２は、説明用フィルム３８と当接すると、僅かに湾曲した説明用フィルム３８の形状に対応して、徐々に湾曲する。すなわち、先端側部分５３及び中間部分５２は、上述した先端側部分１５３のように、帯状体３に強く押し当てられることはなく、曲げ剛性の低い先端側部分５３から順に湾曲する。したがって、説明用フィルム３８との間に発生する摩擦力を大幅に（生体圧迫装置１０１における摩擦力の数分の一に）低減することができるので、帯状体３の他方の端部を引っ張る力を大幅に低減することができる。
【００４８】
また、先端側部分５３及び中間部分５２は、説明用フィルム３８と当接すると、説明用フィルム３８に対応して、徐々に湾曲するので、先端側部分１５３のように、帯状体３をほぼ上方に反り返る形状に湾曲させない。したがって、先端側部分５３によって、突っ張り感を使用者に与えたり、あるいは、突っ張った状態に逆らって、無理やり引っ張るといった不具合を回避することができる。
【００４９】
また、皮膚はさみ防止タグ部５は、帯状体３を拡径した状態において、先端側部分５３の先端部が、説明用フィルム３８上に位置する。すなわち、皮膚はさみ防止タグ部５は、皮膚はさみ防止タグ部１５０と比べると、約３０％長くしてある。これによって、先端側部分５３の先端部が、説明用フィルム３８の他方の端部側の段差に引っ掛かるといった不具合を回避することができる。
【００５０】
また、皮膚はさみ防止タグ部５は、中央側部分５１の曲げ剛性>中間部分５２の曲げ剛性>先端側部分５３の曲げ剛性としてあるので、最も湾曲しやすい先端側部分５３は、中間部分５２によって、折れ曲がらないように支持され、次に湾曲しやすい中間部分５２は、中央側部分５１によって折れ曲がらないように支持されている。これにより、長くされた皮膚はさみ防止タグ部５は、皮膚のはさみを防止するタグとして機能でき、また、上述したように、引っ張る力を低減することができる。
【００５１】
また、上述したように、フックシート３２の他方の端部は、ループシート３１の内側に収められている。これにより、フックシート３２の端部が留め金具４の掛け部４１に引っ掛かり、生体圧迫装置１が、上腕１０に対して空回りしてしまうといった不具合を防止でき、生体圧迫装置１をよりスムースに上腕１０に巻き付けることができる。
【００５２】
図４は、本発明の第一実施形態にかかる生体圧迫装置の、巻き付け途中における動作を説明するための概略図を示している。
図４において、生体圧迫装置１は、帯状体３の他方の端部が引き方向に引っ張られており、図３に示す皮膚はさみ防止タグ部５と比べると、中間部分５２が大きく湾曲し、先端側部分５３は、ほぼ湾曲していない。ここで、中間部分５２に対応する補強部材６は、保持部材４３から離れており、これにより、中間部分５２は、大きく湾曲することができる。
この状態において、生体圧迫装置１は、上述したように、帯状体３の他方の端部を引っ張る力を低減することができ、また、先端側部分５３及び中間部分５２が、折れ曲がらないので、皮膚はさみ防止タグ部５は、皮膚のはさみを防止するタグとして機能できる。
【００５３】
また、フックシート３２に対応する帯状体３の部分（フックシート３２、ループシート３１の一部、内面カバー３５の一部及び説明用フィルム３８）は、他の部分に比べると、大きな曲げ剛性を有している。したがって、図示してないが、あらかじめ、フックシート３２に対応する帯状体３の部分を、下向きに湾曲（たとえば、この曲率半径を、上腕１０の最大半径とほぼ同じとする。）させておいてもよい。このようにすると、掛け部４１に掛けられた帯状体３を容易に引っ張ることができる。
【００５４】
図５は、本発明の第一実施形態にかかる生体圧迫装置の、巻き付け終了における動作を説明するための概略図を示している。
図５において、生体圧迫装置１は、ほぼ上腕１０に巻き付けられており、皮膚はさみ防止タグ部５が皮膚のはさみを防止するタグとして機能している。また、本実施形態の皮膚はさみ防止タグ部５は、先端側部分５３が、ループシート３１及び内面カバー３５などからなっているので、上述した先端側部分１５３に比べると、フィット感を向上させることができる。
続いて、図示してないが、フックシート３２がループシート３１に接合され、巻き付け作業が終了する。
【００５５】
以上説明したように、本実施形態の生体圧迫装置１によれば、装着性（たとえば、引っ張る力の低減、空回りの防止、突っ張り感や引っ掛かり感のないスムースに巻き付ける感覚など）を大幅に向上させることができる。
【００５６】
［生体圧迫装置の第二実施形態］
図６は、本発明の第二実施形態に係る生体圧迫装置の概略図であり、（ａ）は表面側展開縮小図を示しており、（ｂ）はＣ−Ｃ矢視拡大図を示している。
図６において、本実施形態の生体圧迫装置１ａは、第一実施形態の生体圧迫装置１と比べると、補強部材６ａと保持部材４３ａとが別々の部材からなる点が相違する。なお、本実施形態の生体圧迫装置１ａの他の構成は、生体圧迫装置１とほぼ同様としてある。
したがって、図６において、図１、２と同様の構成部分については同一の符号を付して、その詳細な説明を省略する。
【００５７】
本実施形態では、帯状体３ａとほぼ同じ幅寸法を有する保持部材４３ａが、被保持部４２に掛けられ、保持部材４３ａの両端部が、被保持部４２より中央側の位置において、補強部材６ａの一部を介して糸５０１及び糸５０２によって、帯状体３ａに縫合されている。この保持部材４３ａは、所定の強度を有する布状又はシート状部材からなり、留め金具４を回動自在に保持する。
【００５８】
また、補強部材６ａは、ループシート３１と異なる布状又はシート状部材からなり、皮膚はさみ防止タグ部５ａの中央側（中央側部分５１ａ及び中間部分５２ａ）の曲げ剛性を先端側（先端側部分５３ａ）の曲げ剛性より高めるために、補強する部材である。
【００５９】
以上説明したように、本実施形態の生体圧迫装置１ａによっても、生体圧迫装置１とほぼ同様に、装着性（たとえば、引っ張る力の低減、空回りの防止、突っ張り感や引っ掛かり感のないスムースに巻き付ける感覚など）を大幅に向上させることができる。
また、補強部材６ａと保持部材４３ａとが別々の部材からなるので、部材選択の自由度を高めることができる。
【００６０】
［生体圧迫装置の第三実施形態］
図７は、本発明の第三実施形態に係る生体圧迫装置の概略図であり、（ａ）は表面側展開縮小図を示しており、（ｂ）はＤ−Ｄ矢視拡大図を示している。
図７において、本実施形態の生体圧迫装置１ｂは、第二実施形態の生体圧迫装置１ａと比べると、補強部材６ａの代わりに、流体袋２ｂの一方の端部側の先端部を補強部材として機能させている点などが相違する。なお、本実施形態の生体圧迫装置１ｂの他の構成は、生体圧迫装置１ａとほぼ同様としてある。
したがって、図７において、図６と同様の構成部分については同一の符号を付して、その詳細な説明を省略する。
【００６１】
流体袋２ｂは、ほぼ台形状の袋であり、ほぼ中央にジョイント２１が設けられた上面側シート、下面側シート、及び、これらのシートの周縁部を溶着した溶着部などを有している。また、本実施形態の下面側シートは、上面側シートとほぼ同様な形状の部分と、一方の端部側に延長されたほぼ平行四辺形状の部分とからなっており、ほぼ平行四辺形状の部分は、補強部材６ｂとなる。
【００６２】
上述した補強部材６ｂは、皮膚はさみ防止タグ部５ｂの中央側（中央側部分５１ｂ及び中間部分５２ｂ）の曲げ剛性を先端側（先端側部分５３ｂ）の曲げ剛性より高めるために、補強する部材である。
また、補強部材６ｂは、一方の端部側の先端部が、保持部材４３ａの取付け位置（糸５０２の位置）と帯状体３ｂの一方の端部側の先端部との間に位置する。すなわち、補強部材６ｂは、帯状体３ｂの一方の端部から所定の距離だけ離れた状態で、かつ、留め金具４と平行にループシート３１と縫合されている。
【００６３】
上述した縫合としては、ループシート３１と補強部材６ｂの一方の端部とが、糸５０４によって縫合されている。また、ループシート３１と補強部材６ｂとが、被保持部４２の一方の端部側において、糸５０３によって縫合されている。さらに、重ねられた一対の保持部材４３ａ、ループシート３１及び補強部材６ｂが、被保持部４２の中央側において、糸５０２によって縫合されている。また、保持部材４３ａの両端部、ループシート３１及び補強部材６ｂが、糸５０１によって縫合されている。
【００６４】
以上説明したように、本実施形態の生体圧迫装置１ｂによっても、生体圧迫装置１ａとほぼ同様に、装着性（たとえば、引っ張る力の低減、空回りの防止、突っ張り感や引っ掛かり感のないスムースに巻き付ける感覚など）を大幅に向上させることができる。
また、補強部材６ｂは、ループシート３１と内面カバー３５との間に挟まれ、外部に露出しないので、美観を向上させることができる。
さらに、生体圧迫装置１ａと比べると、部品点数を削減できるので、製造原価のコストダウンを図ることができる。
【００６５】
なお、本実施形態では、流体袋２ｂの下面側シートのほぼ平行四辺形状の部分を、補強部材６ｂとしてあるが、これに限定されるものではない。図示してないが、たとえば、上面側シートも、ほぼ平行四辺形状の部分を有する構成とし、二つのほぼ平行四辺形状の部分を補強部材６ｂとしてもよい。また、台形状の上面側シート及び下面側シートを一方の端部側に延長し、この延長された部分（この部分は、空気の入出によって膨縮する。）を補強部材６ｂとしてもよい。
【００６６】
［生体圧迫装置の第四実施形態］
図８は、本発明の第四実施形態に係る生体圧迫装置の概略図であり、（ａ）は表面側展開縮小図を示しており、（ｂ）はＥ−Ｅ矢視拡大図を示している。
図８において、本実施形態の生体圧迫装置１ｃは、第一実施形態の生体圧迫装置１と比べると、補強部材６ｃと保持部材４３ｃとが一体的に成形された点が相違する。なお、本実施形態の生体圧迫装置１ｃの他の構成は、生体圧迫装置１とほぼ同様としてある。
したがって、図８において、図１、２と同様の構成部分については同一の符号を付して、その詳細な説明を省略する。
【００６７】
補強部材６ｃ及び保持部材４３ｃは、樹脂からなり、一体成形される。
補強部材６ｃは、補強部材６とほぼ同様な形状としてあり、補強部材６とほぼ同様な位置に縫合されている。また、補強部材６ｃは、一方の端部側の部分（糸５０４と糸５０３との間の部分）より中央側の部分（糸５０３と糸５０１との間の部分）を厚くしてある。
【００６８】
また、ほぼ中央に（糸５０２と糸５０３との間の部分に）、保持部材４３ｃが成形されており、保持部材４３ｃは、被保持部４２の挿入される貫通孔を有している。この保持部材４３ｃによって、留め金具４は、被保持部４２が、皮膚はさみ防止タグ部５ｃの外面（本実施形態では、補強部材６ｃの一方の端部側の部分の上面）より上方に位置する。したがって、上述したように、生体圧迫装置１ｃが上腕１０に巻き付けられる際、摩擦力を低減することができ、引っ張る力を低減することができる。
【００６９】
皮膚はさみ防止タグ部５ｃは、中央側から一方の端部側に向かって、中央側部分５１ｃ、中間部分５２ｃ及び先端側部分５３ｃを有している。中央側部分５１ｃは、糸５０１と糸５０３との間の部分であり、糸５０１、糸５０２、糸５０３、補強部材６ｃの中央側の部分、保持部材４３ｃ及び帯状体３ｃとからなっている。また、中間部分５２ｃは、糸５０３と糸５０４との間の部分であり、糸５０３、糸５０４、補強部材６の一方の端部側の部分及び帯状体３ｃとからなっている。さらに、先端側部分５３ｃは、糸５０４より一方の端部側に位置する部分であり、帯状体３ｃからなっている。
【００７０】
したがって、皮膚はさみ防止タグ部５ｃは、中央側部分５１ｃの曲げ剛性>中間部分５２ｃの曲げ剛性>先端側部分５３ｃの曲げ剛性となる。すなわち、皮膚はさみ防止タグ部５ｃは、中央側部分５１ｃが保持部材４３ｃ及び補強部材６ｃなどによって補強され、また、中間部分５２ｃが補強部材６ｃなどによって補強され、先端側部分５３ｃが帯状体３ｃからなるので、三段階の曲げ剛性を有している。
【００７１】
以上説明したように、本実施形態の生体圧迫装置１ｃによっても、生体圧迫装置１とほぼ同様に、装着性（たとえば、引っ張る力の低減、空回りの防止、突っ張り感や引っ掛かり感のないスムースに巻き付ける感覚など）を大幅に向上させることができる。
また、補強部材６ｃは、保持部材４３ｃと一体的に成形され、厚さなどを自在に設計することができるので、装着性などをさらに向上させることができる。
さらに、生体圧迫装置１ａと比べると、部品点数を削減できるので、製造原価のコストダウンを図ることができる。
【００７２】
［生体圧迫装置の第五実施形態］
図９は、本発明の第五実施形態に係る生体圧迫装置の概略図であり、（ａ）は表面側展開縮小図を示しており、（ｂ）はＦ−Ｆ矢視拡大図を示している。
図９において、本実施形態の生体圧迫装置１ｄは、第二実施形態の生体圧迫装置１ａと比べると、保持部材４３ｄが、帯状体３ｄの折り重ねられた部分からなる点などが相違する。なお、本実施形態の生体圧迫装置１ｄの他の構成は、生体圧迫装置１ａとほぼ同様としてある。
したがって、図９において、図６と同様の構成部分については同一の符号を付して、その詳細な説明を省略する。
【００７３】
流体袋２ｄは、ほぼ長方形状の袋としてあり、また、フックシート３２は、生体圧迫装置１０１とほぼ同様に取り付けられている。
また、留め金具４ｄは、ほぼ直角三角形状に形成された丸鋼であり、掛け部４１及び被保持部４２ｄを有している。
【００７４】
留め金具４ｄは、帯状体３ｄの折り返し部分からなる保持部材４３ｄによって、被保持部４２ｄが皮膚はさみ防止タグ部５ｄの外面（本実施形態では、補強部材６ｄの上面）より上方に位置するように、帯状体３ｄに取り付けられている。
すなわち、帯状体３ｄの一方の端部側が、被保持部４２ｄに掛けられた状態で、中央側に折り返され、さらに、中央側部分５１ｄを形成するように、補強部材６ｄを挟んだ状態で、一方の端部側に折り返され、糸５０１ｄ及び糸５０２ｄによって縫合されている。このようにすると、生体圧迫装置１ｄが上腕１０に巻き付けられる際、摩擦力を低減することができ、引っ張る力を低減することができる。また、部品点数を削減でき、また、縫合する際の作業性を向上させることができるので、製造原価のコストダウンを図ることができる。
【００７５】
補強部材６ｄは、布状又はシート状部材からなり、帯状体３ｄとほぼ同じ幅寸法を有する台形状としてある。この補強部材６ｄは、皮膚はさみ防止タグ部５ｄの中央側（中央側部分５１ｄ及び中間部分５２ｄ）の曲げ剛性を先端側（先端側部分５３ｄ）の曲げ剛性より高めるために、補強する部材である。
また、補強部材６ｄは、一方の端部側の先端部が、保持部材４３ｄの取付け位置（糸５０２ｄの位置）と帯状体３ｄの一方の先端部との間に位置する。すなわち、補強部材６ｄは、帯状体３ｄの一方の端部から所定の距離だけ離れた状態で帯状体３ｄと縫合されている。
【００７６】
上述した縫合としては、補強部材６ｄの一方の端部と帯状体３ｄとが、糸５０４ｄによって縫合されている。また、補強部材６ｄと帯状体３ｄとが、被保持部４２ｄの一方の端部側において、糸５０３ｄによって縫合されている。さらに、重ねられた一対の保持部材４３ｄ（一対の帯状体３ｄ）、補強部材６ｄ及び帯状体３ｄが、被保持部４２ｄの中央側において、糸５０２ｄによって縫合されている。また、保持部材４３ｄの両端部（一対の帯状体３ｄ）、補強部材６ｄの他方の端部及び帯状体３ｄが、糸５０１ｄによって縫合されている。
【００７７】
皮膚はさみ防止タグ部５ｄは、中央側から一方の端部側に向かって、中央側部分５１ｄ、中間部分５２ｄ及び先端側部分５３ｄを有している。中央側部分５１ｄは、糸５０１ｄと糸５０２ｄとの間の部分であり、糸５０１ｄ、糸５０２ｄ、一対の帯状体３ｄ、補強部材６ｄ及び帯状体３ｄとからなっている。また、中間部分５２ｄは、糸５０２ｄと糸５０４ｄとの間の部分であり、糸５０２ｄ、糸５０３ｄ、糸５０４ｄ、補強部材６ｄ及び帯状体３ｄとからなっている。さらに、先端側部分５３ｄは、糸５０４ｄより一方の端部側に位置する部分であり、帯状体３ｄからなっている。
【００７８】
したがって、皮膚はさみ防止タグ部５ｄは、中央側部分５１ｄの曲げ剛性>中間部分５２ｄの曲げ剛性>先端側部分５３ｄの曲げ剛性となる。すなわち、皮膚はさみ防止タグ部５ｄは、中央側部分５１ｄが一対の帯状体３ｄ及び補強部材６ｄなどによって補強され、また、中間部分５２ｄが補強部材６ｄなどによって補強され、先端側部分５３ｄが帯状体３ｄからなるので、三段階の曲げ剛性を有している。
【００７９】
以上説明したように、本実施形態の生体圧迫装置１ｄによっても、生体圧迫装置１とほぼ同様に、装着性（たとえば、引っ張る力の低減、空回りの防止、突っ張り感や引っ掛かり感のないスムースに巻き付ける感覚など）を大幅に向上させることができる。
【００８０】
［血圧測定装置の一実施形態］
本発明は、血圧測定装置（適宜、血圧計と略称する。）の発明としても有効である。
図１０は、本発明の一実施形態にかかるオシロメトリック式電子血圧計の要部の概略ブロック図を示している。
図１０において、オシロメトリック式電子血圧計７は、空気袋２を内蔵した生体圧迫装置１と、配管７１を介して空気袋２と連通した、圧力センサ７２、ポンプ７３及び排気弁７４と、圧力センサ７２、ポンプ７３及び排気弁７４と接続された情報処理装置７５と、情報処理装置７５と接続された操作スイッチ７６及び表示器７７とからなっている。
ここで、本実施形態のオシロメトリック式電子血圧計７は、上述した実施形態の生体圧迫装置１を備えた構成としてある。
【００８１】
このようにすると、本実施形態のオシロメトリック式電子血圧計７は、上述したように、装着性（たとえば、引っ張る力の低減、空回りの防止、突っ張り感や引っ掛かり感のないスムースに巻き付ける感覚など）を大幅に向上させることができる。また、装着性が向上することによって、使用者は、生体圧迫装置１を所定の位置に装着しやすくなるので、血圧測定の信頼性を高めることができる。
【００８２】
以上、本発明の生体圧迫装置及び血圧測定装置について、好ましい実施形態を示して説明したが、本発明に係る生体圧迫装置及び血圧測定装置は、上述した実施形態にのみ限定されるものではなく、本発明の範囲で種々の変更実施が可能であることは言うまでもない。
例えば、上述した各実施形態の補強部材として、シート状部材などを用いているが、これに限定されるものではなく、たとえば、縫合に用いられる糸や接着剤などを用いてもよい。
【００８３】
また、上述した各実施形態の生体圧迫装置は、通常、上腕に取り付けられる構成としてあるが、上腕タイプに限定されるものではなく、たとえば、手首に生体圧迫装置を取り付ける手首式の血圧計に用いてもよい。
さらに、手首式の血圧計に用いる生体圧迫装置は、空気袋が帯状体の一方の端部から他方の端部まで延長された構成としてもよい。
【産業上の利用可能性】
【００８４】
以上説明したように、本発明の生体圧迫装置は、血圧計用腕帯に用いられる場合に限定されるものではなく、たとえば、加圧中の脈波を精度よく測定する必要のある、止血用の生体圧迫装置などとしても有効に適用することができる。
【符号の説明】
【００８５】
１、１ａ、１ｂ、１ｃ、１ｄ、１０１  生体圧迫装置
２、２ｂ、２ｄ  流体袋
３、３ａ、３ｂ、３ｃ、３ｄ、１３０  帯状体
４、４ｄ  留め金具
５、５ａ、５ｂ、５ｃ、５ｄ、１５０  皮膚はさみ防止タグ部
６、６ａ、６ｂ、６ｃ、６ｄ  補強部材
７  オシロメトリック式電子血圧計
１０  上腕
１２、１３、１４、１５  糸
２１  ジョイント
３１、１３１  ループシート
３２  フックシート
３３、１３３  面ファスナー
３４、１３４  バイアステープ
３５、１３５  内面カバー
３６  抜け防止部材
３７  カバー金具
３８、１３８  説明用フィルム
４１  掛け部
４２、４２ｄ  被保持部
４３、４３ａ、４３ｃ、４３ｄ、１４３  保持部材
５１、５１ａ、５１ｂ、５１ｃ、５１ｄ、１５１  中央側部分
５２、５２ａ、５２ｂ、５２ｃ、５２ｄ、１５２  中間部分
５３、５３ａ、５３ｂ、５３ｃ、５３ｄ、１５３  先端側部分
７１  配管
７２  圧力センサ
７３  ポンプ
７４  排気弁
７５  情報処理装置
７６  操作スイッチ
７７  表示部
１１３、１１６、１１７、１１８  糸
１３９  溶着部
３１１  切れ目
３８１  溶着部
５０１、５０２、５０３、５０４  糸
５０１ｄ、５０２ｄ、５０３ｄ、５０４ｄ  糸
【図１】
2010252836.tif 000003
【図２】
2010252836.tif 000004
【図３】
2010252836.tif 000005
【図４】
2010252836.tif 000006
【図５】
2010252836.tif 000007
【図６】
2010252836.tif 000008
【図７】
2010252836.tif 000009
【図８】
2010252836.tif 000010
【図９】
2010252836.tif 000011
【図１０】
2010252836.tif 000012
【図１１】
2010252836.tif 000013
【図１２】
2010252836.tif 000014
【図１３】
2010252836.tif 000015